【事件の表示】
　特願２０１３−５０２４５６「タッチスクリーンパネル装置」拒絶査定不服審判事件〔平成２３年１０月　６日国際公開、ＷＯ２０１１／１２２７９７、平成２５年　６月１７日国内公表、特表２０１３−５２４３３５〕について、次のとおり審決する。
【結　論】
　本件審判の請求は、成り立たない。
【理　由】
１．手続の経緯・本願発明
　本願は、平成２３年３月２５日（優先権主張　平成２２年３月３１日、韓国）を国際出願日とする出願であって、平成２５年１１月１３日付けで拒絶理由が通知され、平成２６年２月１９日付けで手続補正がなされたが、同年３月２４日付けで拒絶査定がなされ、それに対して、同年７月３０日に拒絶査定不服審判の請求がなされたものである。
　そして、その請求項１に係る発明（以下、「本願発明」という。）は、平成２６年２月１９日付け手続補正書の特許請求の範囲の請求項１に記載された次のとおりのものと認める。
「【請求項１】
　タッチスクリーンパネル装置において、
　ＩＴＯセンサガラス層；
　前記ＩＴＯセンサガラス層の上部にＯＣＡによって積層されるウィンドウガラス層；
　前記ウィンドウガラス層の面と前記ＩＴＯセンサガラス層の面との間に介在して電極パターンとして用いられる導電層；及び
　前記導電層が配置されるＩＴＯセンサガラス層の上面に実装されるタッチスクリーンコントロールユニットを含むことを特徴とするタッチスクリーンパネル装置。」
　
２．引用例
　原査定の拒絶の理由で引用された、本願の優先日前に頒布された、特開平５−３２４２０３号公報（以下「引用例１」という。）には、次の記載がある。
　
ａ．「【０００３】
【従来の技術】静電容量型の
タッチパネルは
ディスプレイ画面の前面に装着される
　
ｂ．「【００１８】図１において、
タッチパネル１は、タッチ位置検出素子となる透明導電膜１２
及び電極端子１８を設けたガラス基板１０と、
保護膜１７を設けたガラス基板２０とを、エポキシ樹脂などの透明接着材３０を用いて貼り合わせることによって構成されて
【００１９】ガラス基板１０の厚さは３又は４ｍｍ程度とされ、ガラス基板２０の厚さは１ｍｍ程度とされている。また、
ガラス基板１０の大きさは、電極端子１８の形成領域の分だけガラス基板２０よりも大きめに選定されて
【００２０】
透明導電膜１２
は、
ＩＴＯ膜であり、
【００２１】なお、保護膜１４、グレア防止膜１６、及び保護膜１７の膜厚は、それぞれ１０００〜２０００Å程度であり、透明導電膜１２とガラス基板２０の間の透明接着材からなる層の厚さは１０μｍ程度である。
【００２２】以上の構成のタッチパネル１では、
保護膜１７の表面をタッチ面ＳＴ
　
ｃ．タッチパネルの構成を示す要部断面図である図１には、
ガラス基板１０の、ガラス基板２０と貼り合わせられる面側に透明導電膜１２を形成すると共に、電極端子１８を透明導電膜１２の上に設けた
　
　これら引用例１の記載及び関連する図面から、引用例１には次の発明（以下、「引用発明１」という。）が記載されているものと認められる。
「タッチ位置検出素子となる透明導電膜１２及び電極端子１８を設けたガラス基板１０と、保護膜１７を設けたガラス基板２０とを、エポキシ樹脂などの透明接着材３０を用いて貼り合わせることによって構成されており、
　ガラス基板１０の大きさは、電極端子１８の形成領域の分だけガラス基板２０よりも大きめに選定されており、
　透明導電膜１２は、ＩＴＯ膜であり、
　保護膜１７の表面をタッチ面ＳＴとし、
　ガラス基板１０の、ガラス基板２０と貼り合わせられる面側に透明導電膜１２を形成すると共に、電極端子１８を透明導電膜１２の上に設けた
　タッチパネル１と、
　前記タッチパネル１が前面に装着されるディスプレイ画面とからなる
　タッチスクリーン装置。」
　
　原査定の拒絶の理由で引用された、本願の優先日前に頒布された、特開２００９−１５７９１６号公報（以下「引用例２」という。）には、次の記載がある。
　
ｄ．「【００３６】
  図１を参照すれば、本発明の一の実施形態に係る表示装置は、表示板部（ｄｉｓｐｌａｙ−ｐａｎｅｌ  ｕｎｉｔ）３００、タッチスクリーンパネル（ｔｏｕｃｈ  ｓｃｒｅｅｎ  ｐａｎｅｌ）９００および制御部（ｃｏｎｔｒｏｌ  ｕｎｉｔ）ＣＵを含む。表示板部３００と
タッチスクリーンパネル９００は
制御部ＣＵによって制御され
　
ｅ．「【００４０】
  図５および図６に示すように、
タッチスクリーンパネル９００は、絶縁基板９２０とその両面に形成されている複数の薄膜構造物を含
絶縁基板９２０の
表面には、行感知データ線ＳＹ
１
〜ＳＹ
Ｎ
、９４０と列感知データ線ＳＸ
１
〜ＳＸ
Ｍ
、９６０が形成され
　
ｆ．「【００４９】
  図１および図３を参照すれば、
制御部ＣＵは、感知信号処理部８００、接触判断部７００および信号制御部６００を含
【００５０】
  
感知信号処理部８００は、タッチスクリーンパネル９００の行感知データ線ＳＹ
１
〜ＳＹ
Ｎ
にそれぞれ接続される複数の出力部８１０と、列感知データ線ＳＸ
１
〜ＳＸ
Ｍ
にそれぞれ接続される複数の出力部８２０を含
【００５１】
  接触判断部７００は、感知信号処理部８００からのデジタル感知データ信号ＤＳＮに演算処理をして接触の有無および接触位置を判断した後、接触情報を送信する。信号制御部６００は、感知信号処理部８００等の動作を制御する。
【００５２】
  このような駆動成分である、
信号制御部６００、接触判断部７００、感知信号処理部８００のそれぞれは、少なくとも１つの集積回路チップの形態で
タッチスクリーンパネル９００の上に直接装着される
　
　これら引用例２の記載及び関連する図面から、引用例２には次の発明（以下、「引用発明２」という。）が記載されているものと認められる。
「タッチスクリーンパネル９００は、制御部ＣＵによって制御され、
　タッチスクリーンパネル９００は、絶縁基板９２０とその両面に形成されている複数の薄膜構造物を含み、絶縁基板９２０の表面には、行感知データ線ＳＹ１〜ＳＹＮ、９４０と列感知データ線ＳＸ１〜ＳＸＭ、９６０が形成されるものであり、
　制御部ＣＵは、感知信号処理部８００、接触判断部７００および信号制御部６００を含むものであり、
　感知信号処理部８００は、タッチスクリーンパネル９００の行感知データ線ＳＹ１〜ＳＹＮにそれぞれ接続される複数の出力部８１０と、列感知データ線ＳＸ１〜ＳＸＭにそれぞれ接続される複数の出力部８２０を含むものであり、
　信号制御部６００、接触判断部７００、感知信号処理部８００のそれぞれは、少なくとも１つの集積回路チップの形態でタッチスクリーンパネル９００の上に直接装着される
　タッチスクリーンパネル。」
　
３．対比
　本願発明と引用発明１を対比すると、次のことがいえる。
（１）引用発明１の「タッチスクリーン装置」と本願発明の「タッチスクリーンパネル装置」は、「タッチスクリーン装置」である点で共通する。
　
（２）引用発明１の「ガラス基板１０」は「ＩＴＯ膜」である「透明導電膜１２」が設けられたものであるから、本願発明の「ＩＴＯセンサガラス層」に相当する。
　
（３）引用発明１の「ガラス基板２０」は「保護膜１７」が設けられたものであり、「保護膜１７」の表面は「タッチ面ＳＴ」とされているから、引用発明１の「ガラス基板２０」は本願発明の「ウィンドウガラス層」に相当する。
　そして、引用発明１の「ガラス基板２０」は、「ガラス基板１０」と「エポキシ樹脂などの透明接着剤３０を用いて貼り合わせ」られているから、引用発明１の「ガラス基板２０」は、本願発明の「前記ＩＴＯセンサガラス層の上部にＯＣＡによって積層されるウィンドウガラス層」に相当する。
　
（４）引用発明１は、「ガラス基板１０の、ガラス基板２０と貼り合わせられる面側に透明導電膜１２を形成」するものであり、「透明導電膜１２」は「タッチ位置検出素子となる」ものであるから、引用発明１の「透明導電膜１２」は、本願発明の「前記ウィンドウガラス層の面と前記ＩＴＯセンサガラス層の面との間に介在して電極パターンとして用いられる導電層」に相当する。
　
　したがって、本願発明と引用発明１は、以下の点で一致ないし相違する。
　
〈一致点〉
「タッチスクリーン装置において、
　ＩＴＯセンサガラス層；
　前記ＩＴＯセンサガラス層の上部にＯＣＡによって積層されるウィンドウガラス層；
　前記ウィンドウガラス層の面と前記ＩＴＯセンサガラス層の面との間に介在して電極パターンとして用いられる導電層を含むタッチスクリーン装置。」
　
〈相違点１〉
　本願発明はタッチスクリーンパネル装置であるのに対し、引用発明はタッチスクリーン
パネル
〈相違点２〉
　本願発明は「前記導電層が配置されるＩＴＯセンサガラス層の上面に実装されるタッチスクリーンコントロールユニット」を有するものであるのに対して、引用発明１には、タッチスクリーンコントロールユニットが記載されていない点。
　
４．当審の判断
〈相違点１〉について
　ディスプレイとして液晶パネル等を用いたパネル状のものは例示するまでもなく周知のものであり、引用発明１のディスプレイ画面をパネル状のものとして、「タッチスクリーンパネル装置」とすることは、当業者が適宜なし得る設計事項である。
　
〈相違点２〉について
　以下の事情を勘案すると、引用発明１において、上記相違点２に係る本願発明の構成を採用することは、当業者が容易に推考し得たことというべきである。
（ア）引用発明２は引用発明１と同様にタッチスクリーンパネルに関するものである。
　そして、その「タッチスクリーン９００」は「絶縁基板９２０とその両面に形成されている複数の薄膜構造物を含み、絶縁基板９２０の表面には、行感知データ線ＳＹ１〜ＳＹＮ、９４０と列感知データ線ＳＸ１〜ＳＸＭ、９６０が形成されるもの」であり、前記「タッチスクリーン９００」の「絶縁基板９２０」は引用発明１の「ガラス基板１０」に相当するものである。
　また、引用発明２の「制御部ＣＵ」は「タッチスクリーンパネル９００」を制御するものであるから、「タッチスクリーンコントロールユニット」といい得るものである。
　ここで、引用発明２の「タッチスクリーン９００」は「絶縁基板９２０とその両面に形成されている複数の薄膜構造物」から構成されるものであるから、「制御部ＣＵ」を構成する「感知信号処理部８００、接触判断部７００および信号制御部６００」を「タッチスクリーンパネル９００の上に直接装着」することは、実質的に、「制御部ＣＵ」を、薄膜構造物が両面に形成された「絶縁基板９２０」の上に装着することといえる。
　してみると、引用発明２において、「制御部ＣＵ」を構成する「感知信号処理部８００、接触判断部７００および信号制御部６００」を「タッチスクリーンパネル９００の上に直接装着」することは、「タッチスクリーンコントロールユニット」を「引用発明１のガラス基板１０に相当する層に実装する」ことを意味する。
（イ）引用発明１はタッチパネルに関するものであり、該タッチパネルの位置検出素子に電気的に接続されるタッチパネルの制御部（タッチスクリーンコントロールユニット）が設けられることは、その機能から見て明らかである。
　そして、引用発明１においてタッチスクリーンコントロールユニットを設けるに当たり、引用発明２で採用されているようなタッチスクリーンコントロールユニット実装手法が有用かつ採用可能であることは、当業者に明らかである。また、引用発明１においてそのような実装手法を採用することを妨げる事情はない。
（ウ）引用発明１において、「電極端子１８」は「ガラス基板１０」の表面に形成された「透明導電膜１２」の上に形成されるものであること、「透明導電膜１２」は「タッチ位置検出素子となる」ものであることから、引用発明１の「電極端子１８」はタッチ位置検出素子と接続される端子といえ、引用発明１において引用発明２で採用されているようなタッチスクリーンコントロールユニット実装手法を採用し、タッチスクリーンコントロールユニットをガラス基板１０に直接装着するに当たり、タッチ位置検出素子からの信号を入力するものであるタッチスクリーンコントロールユニットを、タッチ位置検出素子と接続される端子である電極端子１８の位置、すなわち、導電層が配置されるＩＴＯセンサガラス層の上面の位置に装着することは、タッチスクリーンコントロールユニット及び電極端子１８の機能を考慮すれば、自然なことである。
（エ）以上のことは、引用発明１において上記相違点２に係る本願発明の構成を採用することが、当業者にとって容易であったことを意味している。
 
　そして、本願発明の構成によってもたらされる効果は、引用発明１、引用発明２から当業者ならば予測することができる程度のものであり、本願発明の進歩性を肯定する根拠となり得るものではない。
　
５．むすび 
　以上のとおり、本願発明は、引用例１に記載された発明及び引用例２に記載された発明に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。